(57)【要約】      （修正有）【課題】容積効率を向上させることが可能な冷蔵庫を提供する。【解決手段】この冷蔵庫は、外箱２０と内箱２１との間に発泡断熱材２２を充填した断熱箱体２と断熱箱体２に隣接する機械室９とを備え、外箱２０の側面部２０ｂを機械室９の側方に延設した冷蔵庫であって、側面部２０ｂに対向配置される側壁部３０ａを有する側壁部材３０を備える。機械室９の側壁は側面部２０ｂと側壁部３０ａとの間に発泡断熱材２２を充填して形成され、側壁部３０ａの機械室９側の面には、電装部品を収納する電装収納部３０ｆが凹設されている。【選択図】図３
2013177991.tif 000002
【特許請求の範囲】
【請求項１】
外箱と内箱との間に発泡断熱材を充填した断熱箱体と前記断熱箱体に隣接する機械室とを備え、前記外箱の側面部を前記機械室の側方に延設した冷蔵庫であって、
前記側面部に対向配置される側壁部を有する側壁部材を備え、
前記機械室の側壁は前記側面部と前記側壁部との間に前記発泡断熱材を充填して形成され、
前記側壁部の前記機械室側の面には、電装部品を収納する電装収納部が凹設されていることを特徴とする冷蔵庫。
【請求項２】
前記機械室は前記断熱箱体の下方に形成されていることを特徴とする請求項１に記載の冷蔵庫。
【請求項３】
前記側壁部は金属製であることを特徴とする請求項１または２に記載の冷蔵庫。
【請求項４】
前記電装収納部には板金または難燃材からなるカバー部材が設けられていることを特徴とする請求項１〜３のいずれか１項に記載の冷蔵庫。
【請求項５】
前記電装収納部には配線およびコネクタが収納されることを特徴とする請求項１〜４のいずれか１項に記載の冷蔵庫。
【請求項６】
前記電装収納部は前記機械室の左右両側に設けられることを特徴とする請求項１〜５のいずれか１項に記載の冷蔵庫。
【発明の詳細な説明】
【技術分野】
【０００１】
この発明は冷蔵庫に関し、特に、電装部品が収納される電装収納部を備えた冷蔵庫に関する。
【背景技術】
【０００２】
従来、電装部品が収納される電装収納部を備えた冷蔵庫が知られている（例えば特許文献１参照）。上記特許文献１には発泡断熱材を用いて構成される断熱箱体を備えた冷蔵庫が開示されている。断熱箱体には上側から順に冷蔵室、野菜室および冷凍室が設けられている。また、断熱箱体の背面側には圧縮機などを配置するための庫外凹み部（機械室）と、制御基板などを配置するための背面凹み部とが形成されている。庫外凹み部および背面凹み部は冷蔵室（貯蔵室）の背面側を凹ませることにより形成されている。制御基板は基板収納部（電装収納部）に収納されて基板カバーで覆われた状態で、背面凹み部内に配置されている。
【先行技術文献】
【特許文献】
【０００３】
【特許文献１】特開２００５−３５１５０７号公報
【発明の概要】
【発明が解決しようとする課題】
【０００４】
しかしながら、上記特許文献１の冷蔵庫では、断熱箱体に設けた背面凹み部に電装部品を収納するため、背面凹み部の容積が大きくなり冷蔵庫の容積効率が低下するという問題点がある。
【０００５】
この発明は、上記のような課題を解決するためになされたものであり、この発明の目的は、容積効率を向上させることが可能な冷蔵庫を提供することである。
【課題を解決するための手段】
【０００６】
上記目的を達成するために、この発明の冷蔵庫は、外箱と内箱との間に発泡断熱材を充填した断熱箱体と断熱箱体に隣接する機械室とを備え、外箱の側面部を機械室の側方に延設した冷蔵庫であって、側面部に対向配置される側壁部を有する側壁部材を備え、機械室の側壁は側面部と側壁部との間に発泡断熱材を充填して形成され、側壁部の機械室側の面には、電装部品を収納する電装収納部が凹設されている。
【０００７】
この発明の冷蔵庫では、機械室の側壁は側面部と側壁部との間に発泡断熱材を充填して形成されるので、高い強度に形成される。また、側壁部の機械室側の面に凹設した電装収納部に電装部品が収納される。
【０００８】
上記冷蔵庫において、好ましくは、機械室は断熱箱体の下方に形成されている。このように構成すれば、落下試験による耐衝撃性を向上させることができる。
【０００９】
上記冷蔵庫において、好ましくは、側壁部は金属製である。このように構成すれば、機械室の側壁の強度をより向上させることができる。
【００１０】
上記冷蔵庫において、好ましくは、電装収納部には板金または難燃材からなるカバー部材が設けられている。このように構成すれば、電装収納部から電装部品が脱落するのを防止することができる。また、カバー部材が燃焼するのを抑制することができる。
【００１１】
上記冷蔵庫において、好ましくは、電装収納部には配線およびコネクタが収納される。
【００１２】
上記冷蔵庫において、電装収納部は機械室の左右両側に設けられてもよい。
【発明の効果】
【００１３】
本発明によると、機械室の側壁は外箱の側面部と側壁部との間に発泡断熱材を充填して形成される。これにより、機械室の側壁を高強度で形成することができる。機械室には重量物が配置されるので、落下試験を行うと機械室の側壁に大きな負荷がかかる。このため、機械室の側壁を高強度で形成することにより、落下試験による耐衝撃性を向上させることができる。また、側壁部の機械室側の面には、電装部品を収納する電装収納部が凹設されている。すなわち、電装収納部は側壁部と側面部との間の発泡断熱材が充填される空間に設けられている。これにより、スペースを有効利用して電装収納部を形成することができるので、冷蔵庫の容積効率を向上させることができる。
【図面の簡単な説明】
【００１４】
【図１】本発明の一実施形態の冷蔵庫の構造を概略的に示した断面図である。
【図２】図１に示した本発明の一実施形態の冷蔵庫の機械室周辺の構造を示した断面図である。
【図３】図２の１００−１００線に沿った断面図である。
【図４】図１に示した本発明の一実施形態の冷蔵庫の側壁部材の構造を示した斜視図である。
【図５】図１に示した本発明の一実施形態の冷蔵庫の側壁部材の構造を示した側面図である。
【図６】図１に示した本発明の一実施形態の冷蔵庫の側壁部材の構造を示した背面図である。
【図７】図１に示した本発明の一実施形態の冷蔵庫の電装収納部にカバー部材を設けた状態を示した断面図である。
【発明を実施するための形態】
【００１５】
以下、本発明の実施形態について図面を参照して説明する。なお、理解を容易にするために、断面図であってもハッチングを施さない場合がある。
【００１６】
図１〜図７を参照して、本発明の一実施形態による冷蔵庫１の構造について説明する。冷蔵庫１は図１に示すように、断熱箱体２を備えている。断熱箱体２には上側から順に冷蔵室３、冷凍室４および野菜室５が設けられている。冷蔵室３（貯蔵室）は貯蔵物を冷蔵保存し、冷凍室４（貯蔵室）は貯蔵物を冷凍保存する。野菜室５（貯蔵室）は冷蔵室３よりも少し高い温度に維持され、野菜等の貯蔵物を冷蔵保存する。
【００１７】
冷蔵室３は回動式の扉３ａによって開閉される。冷凍室４および野菜室５はそれぞれ収納ケース（図示せず）と一体に形成される引出式の扉４ａおよび５ａによって開閉される。
【００１８】
冷凍室４および冷蔵室３の背面にはダンパ６を介して連通する第１冷気通路７および第２冷気通路８が設けられている。第１冷気通路７には冷却器１１および送風機１２が配置されているとともに、冷凍室４に臨む吐出口７ａが設けられている。第２冷気通路８には冷蔵室３に臨む吐出口８ａが設けられている。
【００１９】
野菜室５の後方には断熱箱体２に隣接して機械室９が設けられ、機械室９内には冷凍サイクルを運転する圧縮機１０が設置されている。圧縮機１０には冷媒が流通する冷媒管（図示せず）を介して凝縮器（図示せず）、キャピラリチューブ（図示せず）、冷却器１１が順に接続され、冷媒管は圧縮機１０に戻る。これにより、冷凍サイクルが運転され、冷却器１１が第１冷気通路７を流通する空気と熱交換して冷気が生成される。
【００２０】
送風機１２を駆動すると第１冷気通路７に空気が流通する。この時、ダンパ６を開くと第２冷気通路８に冷気が流通する。第１冷気通路７および第２冷気通路８を流通する冷気はそれぞれ吐出口７ａおよび８ａを介して冷凍室４および冷蔵室３に吐出される。
【００２１】
冷凍室４には冷気を第１冷気通路７に戻す戻り口（図示せず）が設けられている。冷蔵室３には野菜室５に連通する連通路（図示せず）が導出され、野菜室５には冷気を第１冷気通路７に戻す戻り口（図示せず）が設けられている。
【００２２】
断熱箱体２は外箱２０と、外箱２０内に配置される内箱２１と、外箱２０および内箱２１の間に充填される発泡断熱材２２とを含む。外箱２０は上面部２０ａ、一対の側面部２０ｂ（図３参照）、下面部（ボトムプレート）２０ｃおよび背面部２０ｄを含む。内箱２１は冷蔵室３、冷凍室４および野菜室５を形成する。発泡断熱材２２は例えば硬質発泡ウレタンにより形成されている。
【００２３】
機械室９は断熱箱体２の下方に形成されている。図２および図３に示すように、機械室９の前面および上面は外箱２０の下面部２０ｃにより形成される。機械室９の側面は一対の側壁部材３０により形成される。機械室９の背面は後方カバー部材３１により形成される。なお、下面部２０ｃ、側壁部材３０および後方カバー部材３１は板金製である。
【００２４】
側壁部材３０は図４〜図６に示すように、機械室９の側壁を構成する側壁部３０ａと、冷蔵庫１の前後方向に延びる底面部３０ｂと、背面部３０ｃと、外面部３０ｄ、３０ｅとを含んでいる。側壁部３０ａは図３に示すように、機械室９の側方に延設される外箱２０の側面部２０ｂから所定の距離を隔てて対向配置されている。そして、側壁部３０ａと外箱２０の側面部２０ｂとの間には発泡断熱材２２が充填されている。側壁部３０ａ、外箱２０の側面部２０ｂおよび発泡断熱材２２により、機械室９の側壁が形成されている。なお、図２および図３のハッチングは発泡断熱材２２を示している。
【００２５】
側壁部３０ａの機械室９側の面には図３および図４に示すように、電装部品を収納する電装収納部３０ｆが凹設されている。電装収納部３０ｆには例えば圧縮機１０や冷却器１１に接続された配線４０およびコネクタ４１などの電装部品が収納される。電装収納部３０ｆには制御回路を搭載した制御基板（図示せず）などの電装部品が収納されてもよい。また、電装収納部３０ｆには配線４０を通すための配線穴３０ｇが形成されている。
【００２６】
電装収納部３０ｆには図７に示すように、電装収納部３０ｆの開口側を覆う板金または樹脂難燃材（ＵＬ規格９４Ｖ−０）からなるカバー部材３２が設けられていてもよい。また、カバー部材３２には配線を通すための配線穴３２ａが形成されていてもよい。
【００２７】
なお、電装収納部３０ｆは左右の側壁部材３０の両方に設けられていてもよい。この場合、２つの制御基板を左右の電装収納部３０ｆに別々に収納してもよい。このように構成すれば、２つの制御基板の回路が互いに干渉することがないので、ノイズの発生を抑制することが可能である。
【００２８】
本実施形態では、上記のように、機械室９の側壁は側面部２０ｂと側壁部３０ａとの間に発泡断熱材２２を充填して形成される。これにより、機械室９の側壁を高強度で形成することができる。機械室９には圧縮機１０などの重量物が配置されるので、落下試験を行うと機械室９の側壁に大きな負荷がかかる。このため、機械室９の側壁を高強度で形成することにより、落下試験による耐衝撃性を向上させることができる。また、側壁部３０ａの機械室９側の面には、電装部品を収納する電装収納部３０ｆが凹設されている。すなわち、電装収納部３０ｆは側壁部３０ａと側面部２０ｂとの間の発泡断熱材２２が充填される空間に設けられている。これにより、スペースを有効利用して電装収納部３０ｆを形成することができるので、冷蔵庫１の容積効率を向上させることができる。また、機械室９内が広くなるためメンテナンス等の作業性を向上させることができる。
【００２９】
また、機械室９内に配線４０等を収納するケースを必要としないため、冷蔵庫１のコストを削減することができる。
【００３０】
また、側壁部３０ａに電装収納部３０ｆを凹設することによって、部分的に発泡断熱材２２の厚みが小さくなり強度低下が懸念されるが、側壁部３０ａに屈曲部が形成されるので、側壁部３０ａの強度を向上させることができる。これにより、機械室９の側壁の強度が低下することはない。
【００３１】
また、側壁が高強度で形成された機械室９を断熱箱体２の下方に形成することによって、断熱箱体２の下方（冷蔵庫１の下部）の強度を向上させることができる。落下試験を行うと冷蔵庫１の下部に最も大きな負荷がかかる。このため、冷蔵庫１の下部の強度を向上させることにより、落下試験による耐衝撃性をより向上させることができる。
【００３２】
また、側壁部３０ａは金属製であるので、機械室９周辺の強度をより向上させることができる。
【００３３】
また、電装収納部３０ｆに板金または難燃材からなるカバー部材３２を設けることによって、電装収納部３０ｆから電装部品が脱落するのを防止することができる。また、カバー部材３２が燃焼するのを抑制することができる。
【００３４】
上記実施形態では、機械室９を断熱箱体２の下方に形成した例について説明したが、機械室９を断熱箱体２の上方に形成してもよい。
【００３５】
また、機械室９の側壁の強度をさらに向上させることも可能である。例えば、板金からなるカバー部材３２を電装収納部３０ｆの開口に係合させてもよい。また、側壁部３０ａに鉛直方向（上下方向）に延びるリブや波型形状を形成してもよい。
【符号の説明】
【００３６】
１  冷蔵庫
２  断熱箱体
９  機械室
２０  外箱
２０ｂ  側面部
２１  内箱
２２  発泡断熱材
３０  側壁部材
３０ａ  側壁部
３０ｆ  電装収納部
３２  カバー部材
４０  配線
４１  コネクタ
【図１】
2013177991.tif 000003
【図２】
2013177991.tif 000004
【図３】
2013177991.tif 000005
【図４】
2013177991.tif 000006
【図５】
2013177991.tif 000007
【図６】
2013177991.tif 000008
【図７】
2013177991.tif 000009